(57)【要約】      （修正有）【課題】自動二輪車運転時にエンジン及び排気管から発生する熱による大腿部の不快感を緩和する保護具でしかも折り畳み収納ができ、折り畳んだ状態のまま腰からぶら下げて歩くことができる太腿部保護具兼収納ケース追加用カバーを提供する。【解決手段】アルミ製断熱シートを含む４重構造の縫合された生地を大腿部に巻きつけ、感じる熱気を低下させる。また  折り畳んだ状態を固定するカバーを縫着し一体型とした上でコンパクトにしたままプラスチック製ワンタッチ式バックルで腰にぶら下げることを特徴とする。【選択図】図１
0003147615.tif 000002
【実用新案登録請求の範囲】
【請求項１】
自動二輪車に乗る場合、運転者が不快に感ずる脚部、大腿部へのエンジン及び排気管からの熱を柔軟なナイロンシート及びアルミ製断熱シート、布を縫合した本考案品を巻きつけることにより大腿部に感じる熱を低下させる事を特徴とする。
【請求項２】
装脱着に際して腰部ベルトと本考案品の固定、巻きつけ部分の固定に市販のプラスチック製ワンタッチ式バックルとテープを用い、脱着を簡素、迅速にするのを特徴とする請求項１に記載の保護具
【請求項３】
本体装脱着に関係の無いプラスチック製ワンタッチ式バックルとテープを、本考案品装着時に体の正面に来る辺りに縫着し、そのテープにベルト通し装着仕様のポシェット等を自由に取り付ける事によって収納ケースを付加することができる事を特徴とする請求項１及び２に記載の保護具
【請求項４】
使用しない時は巻きつけ部分のみの留め具をはずし折り畳んだ状態で本考案品裏側に縫着してあるカバーで包み、マジックテープ（登録商標）等で固定することにより折り畳んだ状態を維持できるので別途収納することなく腰からぶら下げた状態で移動できるのを特徴とする請求項１、２、３に記載の保護具
【考案の詳細な説明】
【技術分野】
【０００１】本考案は自動二輪に乗った時のエンジン及び排気管から発生する熱から運転者の大腿部を保護する衣料の構造に関するものである。
【背景技術】
【０００２】従来この種の保護具としては脚部保護衣料として左右両側、大腿部から足首までの長尺なものが提案されている。
たとえば特許文献１参照
【特許文献１】  実開平０１−０１８１１３号公報
【考案の開示】
【考案が解決しようとする課題】
【０００３】大腿部が感じるエンジン及び排気管からの熱を和らげる。
従来のこの種の保護具は大腿部から足首辺りまでの長尺で、留具としてファスナーを使用しており着脱にわずらわしさを伴う。また降車した時は長尺が故にかさ張り、降車後の徒歩での移動の際に着用したままでは体裁が悪い場合もある。
脱いでしまえば、収納及び移動中の持ち運びに苦労する問題があった。
【課題を解決するための手段】
【０００４】本考案は上記の問題点に鑑みて本体の形状をエンジン及び排気管の熱からの大腿部防護という点に主眼を置き本体形状を大腿部近辺のみを覆う短い形状にし、折り畳み収納を迅速、簡素化し、使用しない時も折り畳んだ状態で留具によって腰部ベルトにぶら下げたまま移動できるようにした。
【考案の効果】
【０００５】大腿部に本考案品を巻きつけるように装着することによって車両エンジン、排気管から発生する熱で大腿部に感じる不快感をやわらげる。【０００６】本考案品を装脱着するには使用者の腰部ベルト部分と本体上部、及び大腿部の巻きつけ部分に市販のプラスチック製ワンタッチ式バックルを用いて留める事により装脱着が簡素化され迅速に行える。【０００７】本考案は最も熱を受ける大腿部の後ろ側半分に市販のアルミ製断熱シート１枚を挟み込み、本体生地裏表２枚、補助用当て布の４重構造となり断熱効果を高めている。【０００８】使用しない時は折り畳んで本体裏側に縫着してあるカバーで巻きつけ、折り畳んだ状態を固定し本体と使用者の腰部に留めてある留具をはずさない事によって、折り畳まれた本体は腰にぶら下がったままの状態になり、使用しない本体を別のケースやポケットに収納する必要が無く、手ぶらで移動できる。【０００９】本体装脱着に無関係なプラスチック製ワンタッチ式バックルとテープを縫着することによりベルト通し仕様になっている市販の収納ケース等を自由に付加でき、追加的収納スペースを確保できる。
【考案を実施するための最良の形態】
【００１０】本考案の実施の形態を図面に基づき詳細に説明する。
本考案本体には大１個、中１個、小２個のプラスチック製ワンタッチ式バックルとテープが縫着してある。（図２）
大のバックルを使用者の腰部ベルトに通しバックルを留める。
本体を大腿部に巻きつけ自分のサイズに合う所で小のバックルを留める。
これら３個のバックルは留める際にいずれもテープの出し入れで長さの調節が可能である。【００１１】本体内部にはアルミ製断熱シートが本体生地に挟まれるように縫合してあり、その部分は４重構造となっている。そのアルミ製シートとほぼ同じ位置、本体の１番表面に綿生地の当て布があるのでその部分を熱を感じる部分に向けて装着するのが望ましい。当て布の範囲に関してはかなり余裕があるので、ずれることは稀であると思われる。（図２，３）【００１２】使用しない時、つまりバイクから降車している時は、腰に留めてあるバックルはそのままにして、巻きつけ部分のみのバックルをはずし、解かれた本体を２つ折にしてから図４のように折り畳んで本体裏面に縫着してあるカバーを巻きつけるように被せて折り畳んだ状態をマジックテープで固定する。（図４−Ｂ）この状態でコンパクトになった本体を腰からぶら下げることになり、両手を自由に使える状態で移動できる。（図５）【００１３】装着した状態の本体正面辺りに本体と使用者を留める為とは無関係なプラスチック製ワンタッチ式バックルとテープを縫着し、市販されているベルト通し仕様の収納ケース等を自分の好みで付加できるようにした。ツーリング時の携帯電話収納やＥＴＣカード、高速券、現金等をすぐに出し入れできるので便利であると思われる（図６）【００１４】自動二輪は跨った状態で右側から排気されていることが多いので本考案は右脚用であるが、左右対称の作りにすれば左側にも本考案は利用可能である。
【図面の簡単な説明】
【図１】本考案品を装着した時の図
【図２】本体  裏、表の平面図
【図３】本体  ４重構造部  断面図
【図４】本体を折り畳んだ時の図
【図５】本体を折り畳んで腰からぶら下げた状態の図
【図６】本体に収納ケースを付加した時の例図
【符号の説明】
▲１▼・・・プラスチック製ワンタッチ式バックル  大
▲２▼・・・プラスチック製ワンタッチ式バックル  中
▲３▼・・・プラスチック製ワンタッチ式バックル  小
▲４▼・・・当て布
▲５▼・・・本体裏面に縫着した折り畳み時に使用するカバー
▲６▼・・・マジックテープ（登録商標）等
【図１】
0003147615.tif 000003
【図２】
0003147615.tif 000004
【図３】
0003147615.tif 000005
【図４】
0003147615.tif 000006
【図５】
0003147615.tif 000007
【図６】
0003147615.tif 000008
【手続補正書】
【提出日】平成20年9月13日(2008.9.13)
【手続補正１】
【補正対象書類名】実用新案登録請求の範囲
【補正対象項目名】全文
【補正方法】変更
【補正の内容】
【実用新案登録請求の範囲】
【請求項１】
自動二輪車に乗る場合、運転者が不快に感ずる脚部、大腿部へのエンジン及び排気管からの熱を柔軟なナイロンシート及びアルミ製断熱シート、布を縫合した本考案品を巻きつけることにより大腿部に感じる熱を低下させる事を特徴とする大腿部保護具兼収納ケース追加用カバー。
【請求項２】
装脱着に際して腰部ベルトと本考案品の固定、巻きつけ部分の固定に市販のプラスチック製ワンタッチ式バックルとテープを用い、脱着を簡素、迅速にするのを特徴とする請求項１に記載の大腿部保護具兼収納ケース追加用カバー。
【請求項３】
本体装脱着に関係の無いプラスチック製ワンタッチ式バックルとテープを、本考案品装着時に体の正面に来る辺りに縫着し、そのテープにベルト通し装着仕様のポシェット等を自由に取り付ける事によって収納ケースを付加することができる事を特徴とする請求項１又は２記載の大腿部保護具兼収納ケース追加用カバー。
【請求項４】
使用しない時は巻きつけ部分のみの留め具をはずし折り畳んだ状態で本考案品裏側に縫着してあるカバーで包み、マジックテープ（登録商標）等で固定することにより折り畳んだ状態を維持できるので別途収納することなく腰からぶら下げた状態で移動できるのを特徴とする請求項１乃至３のいずれか一項に記載の大腿部保護具兼収納ケース追加用カバー。